(57)【要約】【課題】  予約楽曲が歌唱された際に声紋データをチェックして、実際に歌唱を行った利用者を特定することにより、正確な利用者別歌唱履歴を作成する。【解決手段】  利用者がログインすると、利用者声紋データ取得手段４８により、当該利用者の利用者ＩＤと声紋データを利用者データベース６１から取得する。楽曲が歌唱されると、歌唱者声紋データ取得手段４９により、歌唱者の音声データを解析して歌唱者声紋データを取得する。声紋データ比較手段５０により、歌唱者声紋データと取得した声紋データとを比較する。歌唱履歴更新手段５２により、声紋データに該当する声紋データが存在した場合には、当該声紋データに紐付けられた利用者ＩＤの歌唱履歴を更新し、ログイン提示手段５１に基づいてログイン処理が行われた場合には、当該ログインした利用者に紐付けられた利用者ＩＤの歌唱履歴を更新する。【選択図】図１
2014235302.tif 000002
【特許請求の範囲】
【請求項１】
少なくとも利用者の利用者ＩＤと当該利用者の声紋データとが紐付けられた利用者データベースを具備するとともに、利用者ＩＤで特定される利用者別に歌唱履歴を作成することが可能なカラオケシステムにおいて、
利用者からのログイン要求により、当該利用者の利用者ＩＤと声紋データを前記利用者データベースから取得する利用者声紋データ取得手段と、
カラオケ演奏に合わせてマイクロホンから入力される歌唱者の音声データを解析し、歌唱者声紋データを取得する歌唱者声紋データ取得手段と、
前記歌唱者声紋データと、前記利用者声紋データ取得手段にて取得した声紋データとを比較する声紋データ比較手段と、
前記声紋データ比較手段による比較結果において、前記歌唱者声紋データに該当する声紋データが存在しなかった場合は、当該歌唱者に対してログインを促すログイン提示手段と、
前記声紋データ比較手段の比較結果において、前記歌唱者声紋データに該当する声紋データが存在した場合には、当該声紋データに紐付けられた利用者ＩＤの歌唱履歴を更新し、または前記ログイン提示手段に基づいてログイン処理が行われた場合には、当該ログインした利用者に紐付けられた利用者ＩＤの歌唱履歴を更新する歌唱履歴更新手段と、
を備えたことを特徴とする利用者別歌唱履歴の更新システム。
【請求項２】
前記歌唱履歴更新手段が前記歌唱者の歌唱履歴を更新しなかった場合に、予約者の歌唱履歴を更新することを特徴とする請求項１に記載の利用者別歌唱履歴の更新システム。
【請求項３】
前記歌唱履歴更新手段が前記歌唱者の歌唱履歴を更新しなかった場合に、前記歌唱者に対して利用者ＩＤの取得を促す利用者ＩＤ取得提示手段を備え、
前記利用者ＩＤ取得提示手段に基づいて前記歌唱者による利用者ＩＤの取得が行われた場合には、前記歌唱者声紋データと歌唱履歴を該利用者ＩＤに紐付けることを特徴とする請求項１に記載の利用者別歌唱履歴の更新システム。
【発明の詳細な説明】
【技術分野】
【０００１】
本発明は、利用者別歌唱履歴の更新システムに関するものであり、詳しくは、利用者の利用者ＩＤと当該利用者の声紋データとが紐付けられた利用者データベースを具備するカラオケシステムにおいて、予約楽曲が歌唱された際に歌唱者の声紋データをチェックして、実際に歌唱を行った利用者を特定することにより、正確な利用者別歌唱履歴を作成するための利用者別歌唱履歴の更新システムに関するものである。
【背景技術】
【０００２】
従来のカラオケシステムでは、カラオケ楽曲を歌唱する際に、選曲予約装置（例えばカラオケリモコン装置の選曲予約機能）を用いて所望のカラオケ楽曲を検索して予約するようになっている。この際、所望のカラオケ楽曲の楽曲ＩＤに利用者の利用者ＩＤを付帯して予約待ち行列を作成し、この予約待ち行列に従ってカラオケ楽曲の演奏が行われる。また、カラオケ楽曲の演奏が行われると、予約待ち行列にて特定された楽曲ＩＤと利用者ＩＤとを紐付けして、利用者別歌唱履歴を作成する機能を有するカラオケシステムもある。
【０００３】
さらに、声紋データと利用者ＩＤとを紐付けして管理する機能を有し、予約待ち行列に従ってカラオケ楽曲が演奏されると、歌唱者の声紋データをリアルタイムで分析して、選曲予約者の利用者ＩＤに紐付けされた声紋データと、分析した声紋データとを比較して、両者が一致しない場合には、演奏を中止するようにしたカラオケシステムに関する技術が開示されている（特許文献１参照）。
【先行技術文献】
【特許文献】
【０００４】
【特許文献１】特開２００８−１７６０８１号公報
【発明の概要】
【発明が解決しようとする課題】
【０００５】
上述した特許文献１に記載された技術を利用することにより、選曲予約を行った利用者と実際に歌唱を行う利用者とが一致するので、正確な利用者別歌唱履歴を作成するという優れた効果を奏することができる。
【０００６】
ところで、選曲予約を行った利用者以外の者が歌唱を行った場合、一律に楽曲の演奏を中止したのでは、利用者の要望に添えない場合も考えられる。例えば、同席した他の利用者に歌唱をして貰いたい楽曲を自らの利用者ＩＤを用いて選曲予約した場合や、選曲予約操作を誤って他の利用者ＩＤを用いて選曲予約した場合や、選曲した利用者が席を外してしまったので、他の利用者が本来の選曲予約者に変わって歌唱を行う場合等である。
【０００７】
このような場合には、選曲予約者と実際の歌唱者とが異なっていても、歌唱を行わせることが利用者の要望にかなった措置となる。しかし、上述したように、利用者別歌唱履歴を作成するシステムでは、本来の選曲予約者と実際の歌唱者が異なる場合に、正確な利用者別歌唱履歴を作成することが望まれるのも事実である。
【０００８】
本発明は、上述した事情に鑑み提案されたもので、利用者の利用者ＩＤと当該利用者の声紋データとが紐付けられたデータベースを具備するカラオケシステムにおいて、予約楽曲が歌唱された際に歌唱者の声紋データをチェックして、実際に歌唱を行った利用者を特定することにより、正確な利用者別歌唱履歴を作成するための利用者別歌唱履歴の更新システムを提供することを目的とする。
【課題を解決するための手段】
【０００９】
本発明の利用者別歌唱履歴の更新システムは、上述した事情に鑑み提案されたもので、以下の特徴点を有している。すなわち、本発明の利用者別歌唱履歴の更新システムは、少なくとも利用者の利用者ＩＤと当該利用者の声紋データとが紐付けられた利用者データベースを具備するとともに、利用者ＩＤで特定される利用者別に歌唱履歴を作成することが可能なカラオケシステムにおいて、利用者声紋データ取得手段と、歌唱者声紋データ取得手段と、声紋データ比較手段と、ログイン提示手段と、歌唱履歴更新手段とを備えたことを特徴とするものである。
【００１０】
利用者声紋データ取得手段、利用者からのログイン要求により、当該利用者の利用者ＩＤと声紋データを利用者データベースから取得するための手段である。歌唱者声紋データ取得手段は、カラオケ演奏に合わせてマイクロホンから入力される歌唱者の音声データを解析し、歌唱者声紋データを取得するための手段である。
【００１１】
声紋データ比較手段は、歌唱者声紋データと、利用者声紋データ取得手段にて取得した声紋データとを比較するための手段である。ログイン提示手段は、声紋データ比較手段による比較結果において、歌唱者声紋データに該当する声紋データが存在しなかった場合に、当該歌唱者に対してログインを促すための手段である。
【００１２】
歌唱履歴更新手段は、声紋データ比較手段の比較結果において、歌唱者声紋データに該当する声紋データが存在した場合には、当該声紋データに紐付けられた利用者ＩＤの歌唱履歴を更新し、またはログイン提示手段に基づいてログイン処理が行われた場合には、当該ログインした利用者に紐付けられた利用者ＩＤの歌唱履歴を更新する手段である。
【００１３】
また、本発明の利用者別歌唱履歴の更新システムは、上述した構成に加えて、歌唱履歴更新手段が歌唱者の歌唱履歴を更新しなかった場合に、予約者の歌唱履歴を更新することが可能である。
【００１４】
また、本発明の利用者別歌唱履歴の更新システムは、上述した構成に加えて、歌唱履歴更新手段が歌唱者の歌唱履歴を更新しなかった場合に、歌唱者に対して利用者ＩＤの取得を促す利用者ＩＤ取得提示手段を備えることが可能である。このような構成の場合に、利用者ＩＤ取得提示手段に基づいて歌唱者による利用者ＩＤの取得が行われた場合には、歌唱者声紋データと歌唱履歴を当該利用者ＩＤに紐付けることが可能である
【００１５】
このような構成からなる利用者別歌唱履歴の更新システムでは、予め、利用者の利用者ＩＤと当該利用者の声紋データとが紐付けられた利用者データベースを具備しており、利用者声紋データ取得手段の機能により、利用者からのカラオケシステムへのログイン要求に基づき、ログイン要求を行った利用者の利用者ＩＤと声紋データを利用者データベースから取得する。歌唱者の声紋データの取得は、歌唱者声紋データ取得手段の機能により、カラオケ演奏に合わせてマイクロホンから入力される歌唱者の音声データに基づいて行われる。
【００１６】
また、声紋データ比較手段の機能により、歌唱者の声紋データと、ログイン要求を行った利用者の声紋データとを比較する。ここで、声紋データ比較手段による比較結果において、歌唱者声紋データに該当する声紋データが存在しなかった場合は、ログイン提示手段の機能により、当該歌唱者に対してログインを促す。
【００１７】
一方、声紋データ比較手段による比較結果において、歌唱者声紋データに該当する声紋データが存在した場合は、歌唱履歴更新手段の機能により、当該声紋データに紐付けられた利用者ＩＤの歌唱履歴を更新する。また、ログイン提示手段に基づいてログイン処理が行われた場合には、歌唱履歴更新手段の機能により、当該ログインした利用者に紐付けられた利用者ＩＤの歌唱履歴を更新する。
【００１８】
また、歌唱履歴更新手段が歌唱者の歌唱履歴を更新しなかった場合に、予約者の歌唱履歴を更新してもよい。
【００１９】
また、歌唱履歴更新手段が歌唱者の歌唱履歴を更新しなかった場合に、歌唱者に対して利用者ＩＤの取得を促す利用者ＩＤ取得提示手段を備えた構成の場合には、利用者ＩＤ取得提示手段に基づいて歌唱者による利用者ＩＤの取得が行われると、歌唱者声紋データと歌唱履歴を当該利用者ＩＤに紐付ける。
【発明の効果】
【００２０】
本発明の利用者別歌唱履歴の更新システムによれば、予約されたカラオケ楽曲の演奏に合わせて実際に歌唱が行われた際に、歌唱者の声紋データを確認して、現にログインしている利用者の中に歌唱者が含まれているか否かを判断する。そして、現にログインしている利用者が歌唱を行っていない場合には、歌唱者に対してログインを促す。
【００２１】
一方、現にログインしている利用者が歌唱を行っていた場合に、通常の処理により、当該歌唱者の歌唱履歴に当該カラオケ楽曲の歌唱履歴を加える。また、歌唱者に対してログインを促したことよってログイン処理が行われた場合には、当該ログインした利用者の歌唱履歴に当該カラオケ楽曲の歌唱履歴を加える。
【００２２】
したがって、選曲予約されたカラオケ楽曲について、実際に歌唱を行った利用者を歌唱者とすることができるので、正確な利用者別歌唱履歴を作成することが可能となる。これにより、同席した他の利用者に歌唱をして貰いたい楽曲を自らの利用者ＩＤを用いて選曲予約した場合や、選曲予約操作を誤って他の利用者ＩＤを用いて選曲予約した場合や、選曲した利用者が席を外してしまったので、他の利用者が本来の選曲予約者に変わって歌唱を行う場合であっても、実際の歌唱者と選曲履歴に登録される利用者との齟齬がなくなり、正確な利用者別歌唱履歴が作成されることになる。
【００２３】
また、現にログインしている利用者以外の歌唱者によって歌唱が行われた場合には、歌唱者に対してログインを促す提示を行うことにより、まだログインを行っていなかった歌唱者に対してログインを喚起することでログイン処理を行わせ、確実に歌唱者の歌唱履歴を更新することが可能となる。
【図面の簡単な説明】
【００２４】
【図１】本発明の実施形態に係る利用者別歌唱履歴の更新システムを適用したカラオケシステムの構成を示すブロック図。
【図２】利用者データベースの構成を示す説明図。
【図３】歌唱履歴の更新手順を示すフローチャート。
【発明を実施するための形態】
【００２５】
図面を参照して、本発明の利用者別歌唱履歴の更新システムの実施形態について説明する。図１〜図３は本発明の実施形態に係る利用者別歌唱履歴の更新システムを示すもので、図１は利用者別歌唱履歴の更新システムを適用したカラオケシステムの構成を示すブロック図、図２は利用者データベースの構成を示す説明図、図３は歌唱履歴の更新手順を示すフローチャート選曲予約者歌唱確認及び歌唱履歴作成の手順を示すフローチャートである。
【００２６】
＜利用者別歌唱履歴の更新システムの概要＞
本発明の実施形態に係る利用者別歌唱履歴の更新システム１０は、少なくとも利用者の利用者ＩＤと当該利用者の声紋データファイルＩＤとが紐付けられた利用者データベース６１を具備するとともに、利用者ＩＤで特定される利用者別に歌唱履歴を作成することが可能なカラオケシステムに関する技術であり、主要な構成要素として、図１に示すように、利用者データベース６１と、利用者声紋データ取得手段４８と、歌唱者声紋データ取得手段４９と、声紋データ比較手段５０と、ログイン提示手段５１と、歌唱履歴更新手段５２とを備えている。さらに、本発明の実施形態に係る利用者別歌唱履歴の更新システム１０は、利用者ＩＤ取得提示手段５３を備えることが可能である。各手段等は、カラオケ演奏端末３０及びその付帯装置や、管理サーバ６０の機能手段として実現される。
【００２７】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２８】
＜カラオケ演奏端末＞
本発明の実施形態に係る利用者別歌唱履歴の更新システム１０を適用するカラオケ演奏端末３０は、図１に示すように、カラオケ本体４０、カラオケリモコン装置３１、スピーカ３２、マイクロホン３３、表示装置３４、ミキシングアンプ３５を備えている。また、本実施形態のカラオケ演奏端末３０は、ルータ２０及びデータ通信回線７０を介して、管理サーバ６０にネットワーク接続されている。
【００２９】
＜管理サーバ＞
管理サーバ６０は、会員情報の管理、カラオケ演奏端末３０に対する楽曲データの配信等を行うためのサーバであり、利用者データベース６１を備えている。データ通信回線７０は、例えば、インターネット回線、デジタル通信回線、アナログ通信回線、無線通信回線、ＬＡＮ等、環境に応じてどのような回線を用いてもよいが、ネットワークに対する第三者の侵入やデータの傍聴及び改竄が困難であるとともに、帯域を独占せずに安価な通信網であるという点で、インターネットにより構成されるＶＰＮを利用することが好ましい。
【００３０】
＜利用者データベース＞
利用者データベース６１は、図２に示すように、少なくとも、利用者ＩＤと、利用者の声紋データファイルＩＤと、歌唱履歴（歌唱した楽曲ＩＤの履歴）とを紐付けして構成したデータベースである。なお、利用者データベース６１を構成するデータは、図２に示すものに限定されるものではなく、利用者の管理に最小限必要なデータのみの構成としてもよいし、さらに他のデータを付加してもよい。
【００３１】
なお、単独の管理サーバ６０により、上述した複数の機能を実現するのではなく、各機能に特化したサーバを設け、各サーバにより各機能を実現してもよい。この際、仮想化技術により、１つのサーバに複数の機能を持たせることもできる。
【００３２】
＜カラオケリモコン装置＞
カラオケリモコン装置３１は、ユーザインタフェース機能を備えており、カラオケ本体４０のローカル送受信手段４６との間で有線方式又は無線方式によりデータの送受信を行うようになっている。このカラオケリモコン装置３１は、楽曲検索手段３１ａとして機能するプログラム、楽曲索引データベース３１ｂ、種々のデータを記憶するためのデータ記憶部３１ｃ、ログイン手段３１ｄ、データの入出力を行うための入出力表示部３１ｅ等を備えている。このカラオケリモコン装置３１に付帯するスイッチ類や、入出力表示部３１ｅに表示される各種のアイコン等を操作することにより、選曲操作等が行われる。
【００３３】
＜楽曲検索手段／楽曲索引データベース＞
楽曲検索手段３１ａは、利用者の指示に基づき、楽曲索引データベース３１ｂを参照して楽曲を検索するためのプログラムからなる。楽曲索引データベース３１ｂは、カラオケ演奏端末３０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００３４】
＜ログイン手段＞
ログイン手段３１ｄは、カラオケ演奏端末３０を含むシステムにログインするための手段であり、例えば、カードリーダを用いて、利用者ＩＤを記憶した利用者ＩＤカードから利用者ＩＤを読み取ることにより、当該利用者ＩＤカードを所持する利用者のログイン管理を行うことができる。またカラオケリモコン装置３１の入出力表示部３１ｅにおいて、利用者ＩＤを入力させることにより、利用者のログイン管理を行ってもよい。
【００３５】
任意の利用者によりログインが行われると、当該利用者が選曲予約を行う際に、選曲されたカラオケ楽曲の楽曲ＩＤに利用者ＩＤを紐付けして予約待ち行列４４ａが作成される。具体的には、選曲操作を行うカラオケリモコン装置３１を用いて楽曲の選択を行う際に、カラオケリモコン装置３１の入出力表示部３１ｅに、ログインを行った各利用者専用のボタンやアイコンが表示される。そして、このボタンやアイコンを用いて利用者ＩＤを特定して選曲を行うと、演奏順序を表す予約待ち行列４４ａに、予約した楽曲ＩＤと共に利用者ＩＤが記録される。なお、本実施形態では、ＲＡＭ４４に予約待ち行列４４ａが格納される。
【００３６】
＜マイクロホン＞
マイクロホン３３は、歌唱音声の入力を行うための装置である。マイクロホン３３から入力された歌唱音声信号は、ミキシングアンプ３５により、音楽再生制御手段５４から送出される演奏音声信号とミキシングされると共に増幅され、スピーカ３２へ出力される。なお、マイクロホン３３からの音声入力信号は、Ａ／Ｄコンバータ５５によりデジタル変換され、歌唱採点手段（図示せず）における採点等に使用される。
【００３７】
＜表示装置＞
表示装置３４は、カラオケ楽曲に関連した背景映像や歌詞テロップ等を表示するための装置で、例えば、液晶ディスプレイ等により構成される。
【００３８】
＜カラオケ本体＞
カラオケ本体４０は、ネットワーク送受信手段４１、中央制御手段４２、ＲＯＭ４３、ＲＡＭ４４、ＨＤＤ４５、ローカル送受信手段４６、予約管理手段４７、利用者声紋データ取得手段４８、歌唱者声紋データ取得手段４９、声紋データ比較手段５０、ログイン提示手段５１、歌唱履歴更新手段５２、音楽再生制御手段５４、Ａ／Ｄコンバータ５５、映像再生制御手段５６を備えている。さらに、利用者ＩＤ取得提示手段５３を備えた構成としてもよい。
【００３９】
＜中央制御手段＞
中央制御手段４２は、カラオケ本体４０を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４０】
＜ＲＯＭ／ＲＡＭ＞
ＲＯＭ４３は、カラオケ本体４０を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。なお、物理的な半導体メモリによりＲＡＭ４４を構成するのではなく、ハードディスク記憶装置等を用いて仮想的なＲＡＭ４４を構成してもよい。
【００４１】
本実施形態では、ＲＡＭ４４に、予約待ち行列４４ａ、利用者データベース６１から取得したログイン利用者声紋データ４４ｂが記憶されるようになっている。なお、予約待ち行列４４ａは、選曲予約されたカラオケ楽曲について、演奏順に楽曲ＩＤを並べて構成されたデータテーブルであり、他の識別データが紐付けられている場合もある。
【００４２】
＜ＨＤＤ＞
ＨＤＤ４５は、大容量記憶装置として機能するもので、少なくとも、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００４３】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。声紋データ管理テーブル４５ｃ及び同行利用者ＩＤ管理テーブル４５ｄについては、後に詳述する。
【００４４】
＜送受信手段＞
ローカル送受信手段４６は、カラオケ本体４０とカラオケリモコン装置３１との間で、データの送受信を行うための電子回路及びプログラムからなる。本実施形態では、赤外線通信により、カラオケ本体４０とカラオケリモコン装置３１との間でデータの送受信が行われる。また、本実施形態では、ルータ２０との間でデータの送受信を行うためのネットワーク送受信手段４１を備えている。
【００４５】
＜予約管理手段＞
予約管理手段４７は、利用者により楽曲検索手段３１ａの機能を用いて選曲された楽曲ＩＤと特定された利用者ＩＤを演奏順に並べて予約待ち行列４４ａを作成し、この予約待ち行列４４ａをＲＡＭ４４に格納して管理するためのプログラムからなる。
【００４６】
＜利用者声紋データ取得手段＞
利用者声紋データ取得手段４８は、利用者からのログイン要求により、当該利用者の利用者ＩＤと声紋データを利用者データベース６１から取得するためのプログラムからなる。すなわち、利用者がカラオケ演奏端末３０を含むシステムにログインすると、管理サーバ６０に格納された利用者データベース６１にアクセスし、当該ログインした利用者の利用者ＩＤに紐付けされた声紋データをダウンロードして、ログイン利用者声紋データ４４ｂとしてＲＡＭ４４に記憶する。
【００４７】
＜歌唱者声紋データ取得手段＞
歌唱者声紋データ取得手段４９は、カラオケ演奏に合わせてマイクロホンから入力される歌唱者の音声データを解析し、歌唱者声紋データを取得するための手段である。
【００４８】
すなわち、人間の声は様々な周波数からなる音声を含んでいる。そして、音声の時間的推移、音声の周波数、音声の強度をグラフ化したものが声紋と称されており、声紋は個々人によりそれぞれ異なっている。近年、個人を特定するためのバイオメトリクス技術が急速に進歩しており、特に安価かつ容易に個人を特定するために声紋が用いられている。そこで、本発明では、利用者の音声データから声紋を解析して、利用者の特定に用いている。なお、声紋認識を行って個人認証を行うための技術は、例えば特開２００３−２６４８５７号公報に詳しく記載されている。
【００４９】
＜声紋データ比較手段＞
声紋データ比較手段５０は、歌唱者声紋データと、利用者声紋データ取得手段４８にて取得した声紋データ（ログイン利用者声紋データ４４ａ）とを比較するためのプログラムからなる。すなわち、カラオケ楽曲の演奏が開始して歌唱が行われると、歌唱者声紋データ取得手段４９の機能により、当該歌唱者の声紋データを解析する。そして、解析した歌唱者声紋データが、利用者声紋データ取得手段４８の機能により、利用者データベース６１から取得した声紋データ（ログイン利用者声紋データ４４ａ）との比較を行う。
【００５０】
＜ログイン提示手段＞
ログイン提示手段５１は、声紋データ比較手段５０による比較結果において、歌唱者声紋データに該当する声紋データ（ログイン利用者声紋データ４４ａ）が存在しなかった場合は、当該歌唱者に対してログインを促すためのプログラムからなる。すなわち、ログイン提示手段５１は、歌唱者声紋データに該当する声紋データ（ログイン利用者声紋データ４４ａ）が存在しなかった場合に、表示装置３４の表示画面やカラオケリモコン装置３１の入出力表示部３１ｅに、ログインを促すための表示を行う。
【００５１】
＜歌唱履歴更新手段＞
歌唱履歴更新手段５２は、声紋データ比較手段５０の比較結果において、歌唱者声紋データに該当する声紋データが存在した場合には、当該声紋データに紐付けられた利用者ＩＤの歌唱履歴を更新し、またはログイン提示手段５１に基づいてログイン処理が行われた場合には、当該ログインした利用者に紐付けられた利用者ＩＤの歌唱履歴を更新するためのプログラムからなる。
【００５２】
すなわち、歌唱履歴更新手段５２は、利用者データベース６１からダウンロードした声紋データ（ログイン利用者声紋データ４４ａ）の中に、カラオケ楽曲を歌唱した歌唱者の歌唱者声紋データ存在した場合には、当該声紋データ（ログイン利用者声紋データ４４ａ）に紐付けられた利用者ＩＤの歌唱履歴を更新する。また、ログインの提示に基づいてログインが行われた場合には、当該ログインした利用者に紐付けられた利用者ＩＤの歌唱履歴を更新する。なお、利用者データベース６１からダウンロードした声紋データ（ログイン利用者声紋データ４４ａ）の中に、当該カラオケ楽曲を歌唱した歌唱者の歌唱者声紋データが存在せず、ログインの提示に基づいてログインが行われなかった場合には、歌唱した利用者を特定することができないため、従来通り予約者の歌唱履歴を更新する。
【００５３】
また、ログイン提示に基づいてログインが行われた場合に、当該ログインした利用者に紐付けられている声紋データが、カラオケ楽曲を歌唱した歌唱者の歌唱者声紋データと異なった場合、再度歌唱者に対してログイン提示を促してもよい。さらに、新規に利用者ＩＤの取得を促し、利用者が利用者ＩＤの取得手続きを行った場合には、利用者ＩＤ取得提示手段５３の機能により、取得した利用者ＩＤと歌唱者声紋データと歌唱履歴（歌唱した楽曲ＩＤの履歴）とを紐付けして記憶することができる。
【００５４】
＜音楽再生制御手段＞
音楽再生制御手段５４は、楽曲ＩＤに基づいて演奏データから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段５４から送出される演奏音声信号とをミキシングすると共に、アンプ機能により増幅してスピーカ３２より出力させるための装置である。
【００５５】
＜映像再生制御手段＞
映像再生制御手段５６は、カラオケ楽曲の演奏中に、背景映像データから抽出した背景映像データと、演奏データに含まれる歌詞描出データに基づいて作成される歌詞文字とを、当該カラオケ楽曲の演奏データに同期させて表示装置３４に出力するためのプログラムからなる。
【００５６】
＜歌唱履歴の更新＞
次に、図３を参照して、歌唱履歴の更新の手順について説明する。選曲予約者歌唱確認及び歌唱履歴の履歴作成処理では、図３に示すように、当該利用者の利用者ＩＤと声紋データを利用者データベース６１から取得する（Ｓ１）。そして、カラオケ楽曲の演奏に合わせてマイクロホンから歌唱者の音声データが入力されると（Ｓ２）、当該入力された歌唱者の音声データを解析し、歌唱者声紋データ（ログイン利用者声紋データ４４ａ）を取得する（Ｓ３）。
【００５７】
続いて、解析した歌唱者声紋データと、取得した声紋データとを比較し（Ｓ４）、一致する声紋データ（ログイン利用者声紋データ４４ａ）が存在するか否かを確認する（Ｓ５）。ここで、歌唱者声紋データに該当する声紋データ（ログイン利用者声紋データ４４ａ）が存在した場合には、当該声紋データ（ログイン利用者声紋データ４４ａ）に紐付けられた利用者ＩＤの歌唱履歴を更新する（Ｓ６）。なお、歌唱者が予約者であった場合も含まれる。
【００５８】
一方、歌唱者声紋データに該当する声紋データ（ログイン利用者声紋データ４４ａ）が存在しなかった場合は、当該歌唱者に対してログインを促す（Ｓ７）。そして、ログインが行われたか否かを確認し（Ｓ８）、ログインが行われた場合には、当該ログインした利用者に紐付けられた利用者ＩＤの歌唱履歴を更新する（Ｓ９）。
【００５９】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６０】
１０  利用者別歌唱履歴の更新システム
２０  ルータ
３０  カラオケ演奏端末
３１  カラオケリモコン装置
３１ａ  楽曲検索手段
３１ｂ  楽曲索引データベース
３１ｃ  データ記憶部
３１ｄ  ログイン手段
３１ｅ  入出力表示部
３２  スピーカ
３３  マイクロホン
３４  表示装置
３５  ミキシングアンプ
４０  カラオケ本体
４１  ネットワーク送受信手段
４２  中央制御手段
４３  ＲＯＭ
４４  ＲＡＭ
４４ａ  予約待ち行列
４４ｂ  利用者声紋データ
４５  ＨＤＤ
４５ａ  楽曲データベース
４５ｂ  映像データベース
４６  ローカル送受信手段
４７  予約管理手段
４８  利用者声紋データ取得手段
４９  歌唱者声紋データ取得手段
５０  声紋データ比較手段
５１  ログイン提示手段
５２  歌唱履歴更新手段
５３  利用者ＩＤ取得提示手段
５４  音楽再生制御手段
５５  Ａ／Ｄコンバータ
５６  映像再生制御手段
６０  管理サーバ
６１  利用者データベース
７０  データ通信回線
【図１】
2014235302.tif 000003
【図２】
2014235302.tif 000004
【図３】
2014235302.tif 000005